(57)【要約】【課題】製本機の落丁乱丁の検査で折丁エラーが発見された場合に、詳細なエラー情報を自動的に得て、工程改善に利用する。【解決手段】折丁のフィーダ毎に、供給する折丁の製品品目情報と冊子配布地域情報とページ番号を含む識別コードを読み取る折丁コードリーダを有し、前記各折丁コードリーダが読み取った折丁の識別コードの情報を受信する乱丁検査手段を備え、前記乱丁検査手段が、前記折丁の束毎に、該束を構成する各折丁が前記折丁の束に加えられた時間と、該折丁の識別コードと該折丁の検査判定結果の情報を記載した検査情報データを作成し、該検査情報データを受信するエラー分析手段を備えた製本機を用いる。【選択図】図１
2020032625.tif 000002
【特許請求の範囲】
【請求項１】
印刷手段と、折丁形成手段と、複数の折丁のフィーダによって折丁を供給して折丁の束を形成する丁合ラインを備え、該折丁の束を綴手段と区分け手段と排出手段と断裁手段とスタッカに順次に搬送する製本機であって、
前記折丁のフィーダ毎に、供給する折丁の製品品目情報と冊子配布地域情報とページ番号を含む識別コードを読み取る折丁コードリーダを有し、前記各折丁コードリーダが読み取った折丁の識別コードの情報を受信する乱丁検査手段を備え、
前記乱丁検査手段が、前記折丁の束毎に、該束を構成する各折丁が前記折丁の束に加えられた時間と、該折丁の識別コードと該折丁の検査判定結果の情報を記載した検査情報データを作成し、
該検査情報データを受信するエラー分析手段を備えた
ことを特徴とする製本機。
【発明の詳細な説明】
【技術分野】
【０００１】
本発明は、乱丁検査手段を有する製本機に関する。
【背景技術】
【０００２】
冊子を作製する製本機においては、複数のフィーダの折丁供給台から順に折丁を一枚毎ギャザリングチェーンに掛け載せて、綴手段に搬送する丁合ラインと、綴手段と断裁手段と区分け手段と排出手段及びスタッカを備え、折丁の折り部を接着して冊子形態に製本して、スタッカにストックする。
【０００３】
製本機は、丁合ラインによって表紙と本文用紙等、異なる種類の印刷物を丁合し、綴手段によって、これらを糊づけやステープル綴じ等によって綴じることにより冊子を作製する。このように異なる種類の印刷物を丁合ラインで丁合する場合に、これらの印刷物の組み合わせが正しいかどうかを確認する必要がある。特許文献１等では、複数種類の印刷物の丁合をする際に、印刷物にそれぞれ印字された二次元コードを読み取ることにより、乱丁検査手段が複数の印刷物の組み合わせを確認するシステムが提案されている。
【０００４】
また、乱丁検査手段が、冊子の表紙と本文用紙の組み合わせの誤りを検出し、誤りがある折丁があった場合は、操作者に通知し、誤りのある折丁を排除させていた。
【先行技術文献】
【特許文献】
【０００５】
【特許文献１】特開２０１２−０６６５０３号公報
【発明の概要】
【発明が解決しようとする課題】
【０００６】
上述した従来の製本機においては、適切でない折丁を丁合の際に操作者に通知して排除させることができ、また、検査情報を集計し分析するエラー集計分析手段を有するライン制御ユニットにより、丁合管理情報の情報管理を精確に行うようにしていた。
【０００７】
しかし、従来の製本機においては、カタログやチラシ、雑誌等で、同じ品目でも地域によって異なる情報が掲載されるページを有する場合などにおいて、適切でない折丁がある折丁エラーが発見された場合に、そのエラーの内容に品目情報がＮＧであったのか、品目やページは合っているが地域がＮＧだったのか、または読み取りができなかったのか、それらが起きた時間はいつなのか、などの情報を含む詳細なエラー情報を得て、工程改善に利用することができなかった。
【０００８】
そのため、本発明の課題は、落丁乱丁の検査で折丁エラーが発見された場合に、製品品目情報と冊子配布地域情報を含む詳細なエラー情報を得て、工程改善に利用する製本機を得ることを課題とする。
【課題を解決するための手段】
【０００９】
上記目的を達成するために本発明は、印刷手段と、折丁形成手段と、複数の折丁のフィーダによって折丁を供給して折丁の束を形成する丁合ラインを備え、該折丁の束を綴手段と区分け手段と排出手段と断裁手段とスタッカに順次に搬送する製本機であって、
前記折丁のフィーダ毎に、供給する折丁の製品品目情報と冊子配布地域情報とページ番号を含む識別コードを読み取る折丁コードリーダを有し、前記各折丁コードリーダが読み取った折丁の識別コードの情報を受信する乱丁検査手段を備え、
前記乱丁検査手段が、前記折丁の束毎に、該束を構成する各折丁が前記折丁の束に加えられた時間と、該折丁の識別コードと該折丁の検査判定結果の情報を記載した検査情報データを作成し、
該検査情報データを受信するエラー分析手段を備えた
ことを特徴とする製本機である。
【発明の効果】
【００１０】
本発明においては、折丁のフィーダ毎の折丁コードリーダが折丁の製品品目情報と冊子配布地域情報とページ番号を含む識別コードを読み取って乱丁検査手段に送信し、乱丁検査手段が、折丁の束毎に、その束を構成する各折丁が束に加えられた時間と、折丁の識別コードと折丁の検査判定結果の情報を記載した検査情報データを作成する。
【００１１】
この構成により、本発明は、詳細な検査情報データが得られるので、同じ品目でも地域によって異なる情報が掲載されるページを有する場合において、製本すべき冊子に指定されている製本品目情報が誤りであったのか、冊子配布地域情報が誤りであったのかを判別できる効果がある。
【図面の簡単な説明】
【００１２】
【図１】本発明の製本機の実施の一形態を示す図である。
【図２】本発明の製本機が製本する冊子を構成する刷本シートの用紙の印刷パターンを示す図である。
【図３】本発明の製本機の丁合ラインの各フィーダが折丁を一枚毎搬送手段に掛け載せして折丁の束を形成する手順を示す流れ図である。
【図４】本発明の製本機の複数のフィーダが折丁を一枚毎搬送手段に掛け載せして折丁の束を形成する丁合ラインの構成を示す図である。
【図５】本発明において、刷本シートの用紙が折り部で折られて形成された折丁が掛け載せされて折丁の束が形成される概念をあらわす図である。
【発明を実施するための形態】
【００１３】
以下、図１から図５と表１を参照して本発明の製本機の実施形態について説明する。
【００１４】
本実施形態の製本機は、図１の様に、印刷手段１０と、折丁形成手段２０と、複数のフィーダ３０を備える。複数のフィーダ３０は、搬送手段１００に沿って並び、各フィーダ３０が折丁１を、各々の折丁供給台３１から順に一枚毎搬送手段１００の、先に設置した折丁１の上に掛け載せして折丁１の束を形成する丁合ライン２００を構成する。
【００１５】
また、各フィーダ３０が折丁供給台３１から折丁１を供給する位置には、折丁１の二次元コード等の識別コード４を読み取る折丁コードリーダ４０を設ける。各フィーダ３０毎の折丁コードリーダ４０は、読み取った識別コード４の情報を、製本の乱丁等の不具合を検査する乱丁検査手段３００に送信する。また、乱丁検査手段３００が検査した結果の検査情報データを、エラー分析手段４００に記憶させる。
【００１６】
製本機の搬送手段１００は、丁合ライン２００が掛け載せした折丁１の束を、綴手段５０と区分け手段６０及び排出手段７０と断裁手段８０とスタッカ９０に順次に搬送する。
【００１７】
（印刷手段１０）
印刷手段１０は、シート状又はウェブ状のロール給紙装置から巻き出された紙あるいはフィルム等の用紙に印刷するオフセット輪転印刷機等で構成する。また、印刷手段１０には、製本する冊子を配布する地域毎に異ならせた情報を編集して、表紙や本文の用紙に印刷する手段を設ける。
【００１８】
（折丁形成手段２０）
折丁形成手段２０は、印刷手段１０により印刷した用紙を、図２の様な、書籍、雑誌などの製本ページを構成する刷本シートの用紙に切り離して、その刷本シートの用紙を折り部２で折って折丁１を形成する手段である。そして、折丁形成手段２０は、形成した折丁１を、種別毎に、複数のフィーダ３０の折丁供給台３１に折丁１を束状に積み重ねて保持させる手段である。
【００１９】
（刷本シートの用紙の印刷パターン）
折丁形成手段２０が、図２の様に、印刷手段１０によって印刷された紙あるいはフィルム等の用紙を刷本シートの用紙に切り離して、折丁形成手段２０がその刷本シートの用紙を折り部２で折って折丁１を形成する。
【００２０】
印刷手段１０は、折り部２で折られる前の刷本シートの用紙の領域に、図２の様に、折り部２で折られる２ページ分の文字と画像のパターンとともに、後に断裁手段８０にて断裁される断裁ライン３の外側の領域に、二次元コード等の折丁識別コード４のパターンを印刷しておく。なお、断裁ライン３の内側の領域に折丁識別コード４のパターンを印刷してもよい。このようにすることで、印刷、製本の発注者（得意先）の方でもコードを流用することができる。
【００２１】
（識別コード４）
表紙用または本文用の刷本シートの用紙に印刷する識別コード４には、表紙用の刷本シートの用紙に印刷する識別コード４に記載した情報と同一の製本品目情報と冊子配布地域情報を記載し、更に、その冊子における折丁１のページ番号等の折丁情報を記載する。
【００２２】
また、識別コード４には表紙用本文用の刷本シートの用紙又は全ての刷本シートの用紙に丁合される用紙の枚数の情報を記載してもよい。
【００２３】
（丁合ライン２００）
製本機の丁合ライン２００は、図３、図４の様に、各折丁供給台３１から順に折丁１を一枚毎搬送手段１００に掛け載せして折丁１の束を形成する各フィーダ３０を有する。複数の、フィーダ３０ａ、３０ｂ、３０ｃが搬送手段１００に沿って並び丁合ライン２００を構成する。
【００２４】
（フィーダ３０）
図３、図４の様に、フィーダ３０の折丁供給台３１の上に、フィーダ３０毎に印刷情報種類の異なる２つ折り折丁１が、平坦に多数積載されている。フィーダ３０ａの折丁供給台３１には３折り折丁１が多数積載され、フィーダ３０ｂの折丁供給台３１には２折り折丁１が多数積載され、フィーダ３０ｃの折丁供給台３１には１折り折丁１が多数積載されている。
【００２５】
その各フィーダ３０が、すなわちフィーダ３０ａとフィーダ３０ｂとフィーダ３０ｃが、エンドレス送行する搬送手段１００に沿って等間隔に複数配置されている。
【００２６】
図３及び図４の様に、先ず、フィーダ３０ａが３折り折丁１を搬送手段１００に掛け載せし、次に、フィーダ３０ｂが、その３折り折丁１の上に、２折り折丁１を掛け載せし、最後に、フィーダ３０ｃが、その２折り折丁１の上に、１折り折丁１を掛け載せして折丁１の束を構成する。表紙に対応する１折り折丁１が折丁１の束の最上面に最後に掛け載せされる。
【００２７】
図５は、折丁形成手段２０によって図２の様な刷本シートの用紙に切り離されることと、その刷本シートの用紙が折丁形成手段２０によって折り部２で折られて折丁１が形成され、その折丁１が各フィーダ３０の折丁供給台３１に積載された後に、各種の折丁１が搬送手段１００に掛け載せされて折丁１の束が形成される概念をあらわす。
【００２８】
各フィーダ３０の折丁供給台３１に積載されている折丁１は折り部２で折られているが、折丁１の断裁ライン３の外側の領域に折丁識別用の識別コード４が印刷されている。その折丁識別用の識別コード４は、折丁コードリーダ４０によって読み取られる。折丁１の断裁ライン３は、後に断裁手段８０にて断裁される。
【００２９】
（折丁コードリーダ４０）
製本機の各フィーダ３０毎に、そのフィーダ３０が折丁供給台３１から折丁１を供給する位置に折丁コードリーダ４０を設ける。
【００３０】
各々のフィーダ３０毎に、折丁コードリーダ４０が、折丁供給台３１から供給された折丁１の外側表面に印刷された折丁識別用の識別コード４を読み取り、読み取った識別コード４の情報を乱丁検査手段３００に送信する。なお、折丁コードリーダ４０には、識別コード４を読み取る他に、折丁１に印刷表示されている印刷情報も読み取る機能を設けることができる。
【００３１】
（乱丁検査手段３００）
乱丁検査手段３００が、各フィーダ３０毎の折丁コードリーダ４０から折丁１の識別コード４の情報を受信して製本の乱丁等の不具合を検査する。
【００３２】
【表１】
2020032625.tif 000003
【００３３】
乱丁検査手段３００は、各フィーダ３０の折丁供給台３１から供給された各折丁１から折丁コードリーダ４０が読み取った識別コード４の情報データを、折丁コードリーダ４０から受信して記憶する。そして、その記憶した識別コード４の情報データを、表１の様に、１つの折丁１の束毎に、その束を構成する複数の折丁１の識別コード４の情報データを集合させる。
【００３４】
すなわち、乱丁検査手段３００は、折丁コードリーダ４０から受信した、同じ折丁１の束に属する表紙用の折丁１の識別コード４の情報と、本文用の折丁１の識別コード４の情報を集める。
【００３５】
時間の順では、乱丁検査手段３００は、先に本文用の折丁１の識別コード４の情報を折丁コードリーダ４０から受信し、次に、その本分用の折丁１の上に表紙用の折丁１を表紙用のフィーダ３０が掛け載せる際に、表紙用の折丁１の識別コード４の情報を折丁コードリーダ４０から受信し、その本分用の折丁１の識別コード４の情報と表紙用の折丁１の識別コード４の情報を集める。
【００３６】
次に、乱丁検査手段３００は、製本すべき冊子に指定されている製本品目情報と、冊子配布地域情報を、折丁１の束の各折丁１の識別コード４から読み取った情報に記載されている製本品目情報と、冊子配布地域情報と照合検査する。また、乱丁検査手段３００は、本文用の折丁１の識別コード４に記載されている本文のページ番号が、折丁１が積載される順にシリアルに整っている事を検査する。
【００３７】
そして、乱丁検査手段３００は、製本すべき冊子に指定されている製本品目情報と、冊子配布地域情報が、折丁１の識別コード４から読み取った情報に記載されている製本品目
情報及び冊子配布地域情報に一致しない場合は、検査の判定結果をＮＧとし、一致する場合は、検査の判定結果をＯＫとし、表１の様に、検査情報データに記載する。
【００３８】
また、乱丁検査手段３００は、折丁情報（折丁番号やページ番号）の誤りがあったのか、について検査することができ、誤りがなければ判定結果をＯＫとし、誤りがあれば判定結果をＮＧとすることができる。
【００３９】
（検査情報データ）
乱丁検査手段３００は、検査日時情報を加えた検査情報データを、折丁１の束毎に作成する。検査情報データは、表１の様に、折丁１の１つの束毎に、その折丁１の束の、３折り折丁１が搬送手段１００に掛け載せされた時間と、３折り折丁１の識別コード４の情報と、その３折り折丁１の検査判定結果の情報と、２折り折丁１が搬送手段１００に掛け載せされた時間と、２折り折丁１の識別コード４の情報と、その２折り折丁１の検査判定結果の情報と、１折り折丁１が搬送手段１００に掛け載せされた時間と、１折り折丁１の識別コード４の情報と、その１折り折丁１を含む全折丁１全体の検査判定結果の情報とを、検査情報データとして作成する。
【００４０】
例えば、乱丁検査手段３００は、表１の１０番目の折丁１の束については、３折り折丁１の製本品目情報及び冊子配布地域情報が、製本すべき冊子に指定されている製本品目情報及び冊子配布地域情報と一致しないため、検査の判定結果をＮＧとした検査情報データを作成する。
【００４１】
また、乱丁検査手段３００は、表１の４番目の折丁１の束については、２折り折丁１のページ番号が、製本すべき冊子のその重ね位置に指定されているページ番号と一致しないため、検査の判定結果をＮＧとした検査情報データを作成する。
【００４２】
また、乱丁検査手段３００は、表１の１番目の折丁１の束については、１折り折丁１の抜けがあると判定した検査情報データを作成する。
【００４３】
また、乱丁検査手段３００は、表１の９番目の折丁１の束については、１折り折丁１の識別コード４が読取り不可能であると判定した検査情報データを作成する。
【００４４】
乱丁検査手段３００は、こうして折丁１の束毎に作成した検査情報データをエラー分析手段４００に送信する。
【００４５】
この様に、乱丁検査手段３００が、折丁１の束毎に、その束に属する各折丁１が搬送手段１００に掛け載せされた時間と、その折丁１の識別コード４の情報と、折丁１の検査判定結果の情報を記録した検査情報データを作成し、エラー分析手段４００に送信して記憶させる。
【００４６】
なお、表１の検査情報データのコード欄には、識別コード４の情報の、製本品目情報と、冊子配布地域情報と、本文用紙のページ番号等の折丁情報を含むが、それらの各項目のデータを欄分けして記録する検査情報データを作成することもできる。
【００４７】
乱丁検査手段３００は、検査判定結果がＮＧの場合は、警告灯の点灯／点滅や警報音等を発生させて操作者に通知することで、操作者に誤りのある折丁１を排除させることもできる。
【００４８】
また、乱丁検査手段３００は、ＮＧとなった折丁１が排除されない場合には、エラーとなった折丁１が掛け載せされて積み重ねられた折丁１の束の廃棄指令データを区分け手段
６０に送信する。
【００４９】
（エラー分析手段４００）
エラー分析手段４００は、乱丁検査手段３００から受信した、折丁１の束毎に作成された表１の様な検査情報データを記憶し、丁合毎の検査エラーの傾向や原因等を分析するためのデータベースを構築する
【００５０】
エラー分析手段４００が蓄積した検査情報データのデータベースを用いて、冊子の乱丁等のエラーが起き易い時間と折丁情報とエラー種別情報を分析する。それにより、そのエラーを生じる工程を改善して製本品質の改善に利用することができる効果がある。
【００５１】
すなわち、乱丁検査手段３００が、製本する折丁１の束毎に、折丁１が搬送手段１００に掛け載せされた時間を含む検査情報データを作成してエラー分析手段４００が記憶することで、エラーの種別毎に、エラーが起き易い時間や折丁１の種別を分析することができる詳細な情報が得られる効果がある。そして、その情報が製本工程の改善に利用できる効果がある。
【００５２】
また、この検査情報データにより、製本するカタログやチラシ、雑誌等で、同じ品目でも地域によって異なる情報が掲載されるページを有する場合などにおいて、表１の検査情報データを用いることで、製本すべき冊子に指定されている製本品目情報が誤りであったのか、冊子配布地域情報が誤りであったのかを判別できる効果がある。または、識別コード４の情報の読み取りができなかったのか、それらが起きた時間はいつなのか、などの、詳細なエラー情報を得ることができる。これにより、改善すべき点が異なるエラーの状況を正しく把握することができる効果がある。
【００５３】
以上の様に、各フィーダ３０毎に、折丁１を供給して折丁コードリーダ４０が、折丁１の識別コード４を読み取り、読み取った識別コード４の情報を乱丁検査手段３００に送信しつつ、折丁１を、一枚毎搬送手段１００の折丁１の束の上に掛け載せて、折丁１の束の厚さを増しつつ、綴手段５０に向けて順次に折丁１の束を搬送する。
【００５４】
（搬送手段１００）
丁合ライン２００において、各折丁供給台３１から順に、折丁コードリーダ４０が折丁１の識別コード４を読み取りつつ、折丁１を、一枚毎搬送手段１００の折丁１の束の上に掛け載せし、搬送手段１００が折丁１の束を綴手段５０と区分け手段６０に順次に搬送する。
【００５５】
（綴手段５０）
綴手段５０では、搬送手段１００により送り出された丁合された折丁１の束を受け取り、ステッチャー、あるいは糊付け器等で折丁の背部側を綴付ける。
【００５６】
なお、綴手段５０では、乱丁検査手段３００によりOKとならなかったものは綴じずに次の工程に搬送する。
【００５７】
（区分け手段６０）
次に、区分け手段６０は、乱丁検査手段３００から、折丁１の束の廃棄指令データを受信した場合（乱丁検査手段３００でＯＫとならなかったもの）は、廃棄を指令された折丁１の束を排出手段７０に排出する。
【００５８】
乱丁検査手段３００でＯＫとなったものは断裁手段８０に送られる。
【００５９】
（断裁手段８０）
断裁手段８０においては、表紙及び本文の断裁ライン３が断裁されることにより、識別コード４が印字された領域を切り落とす。
【００６０】
なお、断裁ライン３の内側の領域に折丁識別コード４のパターンを印刷してある場合は識別コード４が印字された領域は切り落とされない。
【００６１】
また、厚表紙を必要に応じて供給し、丁合された折丁の束の表側に厚表紙を貼り付ける。
【００６２】
一方で、落乱丁が発生せずに綴じられた良品本は、スタッカ９０にスタックする。
【００６３】
また、スタッカ９０にスタックする前に折丁１の識別コード４から得た製本品目情報や冊子配布地域情報に応じて良品本の冊子を区分けしてからスタックしてもよい。
【００６４】
このようにして、各折丁供給台３１に積載された表紙と、本文用紙とを、予め決められた組み合わせで丁合し、冊子を作製してスタックする。
【符号の説明】
【００６５】
１・・・折丁
２・・・折り部
３・・・断裁ライン
４・・・折丁識別コード
１０・・・印刷手段
２０・・・折丁形成手段
３０、３０ａ、３０ｂ、３０ｃ・・・フィーダ
３１・・・折丁供給台
４０・・・折丁コードリーダ
５０・・・綴手段
６０・・・区分け手段
７０・・・排出手段
８０・・・断裁手段
９０・・・スタッカ
１００・・・搬送手段
２００・・・丁合ライン
３００・・・乱丁検査手段
４００・・・エラー分析手段
【図１】
2020032625.tif 000004
【図２】
2020032625.tif 000005
【図３】
2020032625.tif 000006
【図４】
2020032625.tif 000007
【図５】
2020032625.tif 000008